(57)【要約】      （修正有）【課題】スチームを用いた清掃による床面の濡れを少しでもなくし能率良く清掃作業が行えるようにする。【解決手段】円形の上板２外周にフランジ３を設け、上板２中央に回転部を有するスチーム供給具を設け、回転部両側に接続管５を上板２と平行に接続し、接続管５先端にノズル６を下方に向けて設けた本体１のフランジ３に、環状のブラシ２０両側面に抑板２１にてブラシ２０先端が出るよう締結具２２にて締結した清掃体１９のブラシ２０先端がフランジ３より下方に突出するよう嵌合し、後輪１２とキャスター１５が対向するよう支持板１１とアーム１６にて本体１両側に設け、後輪１２側のフランジ３上部に設けた挿入体１８にハンドル１７を挿設して移動を可能とした清掃具に於いて、フランジ３内周に沿って仕切板９をフランジ３下端と同一で間隔を有するよう設けて吸引口１０を形成し、フランジ３外周上部一箇所に吸引穴を穿設して連結管８を突出するよう連結したものである。【選択図】図２
0003106166.tif 000002
【実用新案登録請求の範囲】
【請求項１】
円形の上板外周にフランジを設け、上板中央に回転部を有するスチーム供給具を設け、回転部両側に接続管を上板と平行に接続し、接続管先端にノズルを下方に向けて設けた本体のフランジに、環状のブラシ両側面に抑板にてブラシ先端が出るよう締結具にて締結した清掃体のブラシ先端がフランジより下方に突出するよう嵌合固設し、後輪とキャスターが対向するよう支持板とアームにて本体両側に設け、後輪側のフランジ上部に設けた挿入体にハンドルを挿設して移動を可能とした清掃具に於いて、フランジ内周に沿って仕切板をフランジ下端と同一で間隔を有するよう設けて吸引口を形成し、フランジ外周上部一箇所に吸引穴を穿設して連結管を突出するよう連結したことを特徴とする蒸気清掃器具。
【考案の詳細な説明】
【技術分野】
【０００１】  本考案は高温高圧のスチームにて広い床を洗浄剤を用いることなく綺麗にクリーニングすることが出来る蒸気清掃器具に関するものである。
【背景技術】
【０００２】  ホテル・病院・レストラン・スーパーマーケットなどの広い面積の床を清掃するには、モップや掃除機などを用いていたが、最近では洗浄剤を用いずにスチームにて行うようになってきた。
【考案が解決しようとする課題】
【０００３】  このようにスチームを利用して床面の清掃が行えるが、スチームを利用するために清掃後の床面が水滴で濡れてしまい乾燥或は拭き取り等の面倒な後始末が必要となる。
又、清掃後の床面が水滴で濡れている状態で使用すれば、そこを通る人の靴底等に付着している塵埃や汚泥が水滴によって洗い落とされ、折角綺麗にしても速汚されてしまいスチームによる清掃上非常に不都合を感じていた。
【課題を解決するための手段】
【０００４】  本考案はこのような不都合を解消するもので、
円形の上板外周にフランジを設け、上板中央に回転部を有するスチーム供給具を設け、回転部両側に接続管を上板と平行に接続し、接続管先端にノズルを下方に向けて設けた本体のフランジに、環状のブラシ両側面に抑板にてブラシ先端が出るよう締結具にて締結した清掃体のブラシ先端がフランジより下方に突出するよう嵌合固設し、後輪とキャスターが対向するよう支持板とアームにて本体両側に設け、後輪側のフランジ上部に設けた挿入体にハンドルを挿設して移動を可能とした清掃具に於いて、
フランジ内周に沿って仕切板をフランジ下端と同一で間隔を有するよう設けて吸引口を形成し、フランジ外周上部一箇所に吸引穴を穿設して連結管を突出するよう連結したものである。
【０００５】  使用に当たっては、スチーム供給装置の供給パイプをスチーム供給具に、又スチーム供給装置に併設する吸引装置の吸引パイプを連結管に連結してからそれぞれを作動すると共に、本体をハンドルにて清掃場所に移動する。
すると、スチーム供給装置より送られたスチームは、スチーム供給具より接続管を介してノズルに送られ床面に向かって噴射され、ノズルは噴射の反動で回転部を軸として旋回し、ブラシ内を均一に噴射するのでハンドルを押して床面を移動しながら清掃を行う。
この時床面に噴射したスチームは、目的を果した後は吸引口より吸引穴・連結管を通って吸引装置へ吸引され、床面に水滴として残さないため床面を濡らすことなく乾燥状態に近い状態で清掃することが出来る。
【考案の効果】
【０００６】  上述の如く本考案は、噴射した蒸気が清掃の目的を果した後に床面上に留まることなく吸引口より吸引されるため床面が乾燥状態に近い状態となり、床面の乾燥を待ったり或は拭き取ることも無くなり効率の良い清掃作業が出来る等多くの特長があり実用上非常に優れた考案である。
【考案を実施するための最良の形態】
【０００７】  円形の上板外周にフランジを設け、上板中央に回転部を有するスチーム供給具を設け、回転部両側に接続管を上板と平行に接続し、接続管先端にノズルを下方に向けて設けた本体のフランジに、環状のブラシ両側面に抑板にてブラシ先端が出るよう締結具にて締結した清掃体のブラシ先端がフランジより下方に突出するよう嵌合固設し、後輪とキャスターが対向するよう支持板とアームにて本体両側に設け、後輪側のフランジ上部に設けた挿入体にハンドルを挿設して移動を可能とした清掃具に於いて、フランジ内周に沿って仕切板をフランジ下端と同一で間隔を有するよう設けて吸引口を形成し、フランジ外周上部一箇所に吸引穴を穿設して連結管を突出するよう連結したものである。
【実施例１】
【０００８】  以下本考案の一実施例を図面について説明する。
図中１は円形からなる上板２外周にフランジ３を設けた本体であって、該上板２中央に回転可能とした回転部４ａを設けたスチーム供給具４を回転部４ａが内側となるよう設け、回転部４ａ外周両側に接続管５を上板２と平行に接続し、ノズル６を接続管５先端に下方に向けて設け、スチーム供給具４に供給されたスチームを接続管５を介してノズル６より下方に向けての噴出を可能としている。【０００９】  ７は吸引具であって、前記フランジ３一箇所の上部に吸引穴３ａを穿設し連結管８を吸引穴３ａに連結して突出すると共に、フランジ３内周に沿ってフランジ３と同じ高さで間隔を有するよう仕切板９を設けて環状の吸引口１０を形成している。
１１は支持板であって、フランジ３の上部と上板２の本体１に連結管８の両側二箇所に間隔を設けて平行に突設している。
１２は車軸１３両側にゴム製の車輪１４を設けた後輪であって、車軸１３が連結管８に当たらないで且つ車輪１４にてフランジ３下端を地面より持ち上げるよう前記支持板１１に車軸１３を設けている。【００１０】  １５はキャスターであって、後輪１２と反対側の本体１の上板２に設けたアーム１６にフランジ３下端を地面より持ち上げ、後輪１２とによって地面と平行となるよう設けている。  １７は掴部１７ａを中央にしてＵ字形状とした連結管８の両側でフランジ３上部の二箇所に設けたハンドル挿入用の挿入体１８に両方の端部をそれぞれ挿設している。
１９は環状のブラシ２０の両側面にブラシ２０より幅を短くした抑板２１をブラシ２０先端が出るよう設けて締結具２２にて締結（図では締結部を一部のみを示し他は省略している）してなる清掃体であって、前記フランジ３下方に嵌合しフランジ３下端よりブラシ２０が突き出るよう固設している。【００１１】  使用に当たっては、スチーム供給装置（図では省略する）の供給パイプ２３をスチーム供給具４に、又スチーム供給装置に併設する吸引装置（図では省略する）の吸引パイプ２４を連結管８に連結してからそれぞれを作動すると共に、本体１をハンドル１７にて清掃場所に移動する。
すると、スチーム供給装置より供給パイプ２３を通って送られたスチームは、スチーム供給具４より接続管５を介してノズル６に送られ床面に向かって噴射され、ノズル６は噴射の反動で回転部４ａを軸として旋回し、ブラシ２０内を均一に噴射するのでハンドル１７を押して床面を移動しながら清掃を行う。
この時床面に噴射したスチームは、目的を果した後は吸引口１０より吸引穴３ａ・連結管８を介し吸引パイプ２４を通って吸引装置へ吸引され、床面に水滴として残さないため床面を濡らすことなく乾燥状態に近い状態で清掃することが出来る。
【産業上の利用可能性】
【００１２】  ホテル・病院・レストラン・スーパーマーケットなどの広い面積の床を清掃することが出来る。
【図面の簡単な説明】
【００１３】
【図１】実施例１の正面図
【図２】実施例１の底面図
【図３】実施例１主要部の部分断面拡大図
【符号の説明】
【００１４】  １    本体
２    上板
３    フランジ
３ａ  吸引穴
４    スチーム供給具
４ａ  回転部
５    接続管
６    ノズル
７    吸引具
８    連結管
９    仕切板
１０    吸引口
１１    支持板
１２    後輪
１３    車軸
１４    車輪
１５    キャスター
１６    アーム
１７    ハンドル
１８    挿入体
１９    清掃体
２０    ブラシ
２１    抑板
２２    締結具
【図１】
0003106166.tif 000003
【図２】
0003106166.tif 000004
【図３】
0003106166.tif 000005